(57)【要約】【課題】簡単な構造で虫の侵入を効果的に防止できるようにした防虫網を備えた煙検知器を提供する。【解決手段】防虫網１０は、その一方の表面に縦溝１１が、他方の表面に横溝１２が形成され、縦溝１１と横溝１２とを交差させ、かつ縦溝１１の溝底と横溝１２の溝底とを連通させて、空気を流通させる孔部１３を網目状に形成しており、縦溝１１、横溝１２の少なくとも一方は、溝幅が溝底から開口に向かって拡大した形状にしている。【選択図】図１
2011044104.tif 000002
【特許請求の範囲】
【請求項１】
空気中の煙粒子を検知する検知部と、前記検知部を囲んだ防虫網とを備えた煙検知器において、
前記防虫網は、その一方の表面に縦溝が、他方の表面に横溝が形成され、前記縦溝と前記横溝とを交差させ、かつ前記縦溝の溝底と前記横溝の溝底とを連通させて、空気を流通させる孔部を網目状に形成しており、
前記縦溝、前記横溝の少なくとも一方は、溝幅が溝底から開口に向かって拡大した形状にしていることを特徴とした煙検知器。
【請求項２】
請求項１において、
前記防虫網は、その内表面に前記縦溝が、外表面に前記横溝が形成されている煙検知器。
【発明の詳細な説明】
【技術分野】
【０００１】
本発明は、空気中の煙粒子を検知する検知部を備えた煙検知器の改良に関する。
【背景技術】
【０００２】
従来、電池電源で作動する住宅用火災警報器が市販されているが、最近では、電池の長寿命化がなされ、中には１０年程度の電池寿命を有するものもある。このように長期間使用される住宅用火災警報器、特に、空気中の煙粒子を検知する火災警報器では、検知部への小さな虫の侵入を可能な限り防止することが特に重要となる。
【０００３】
通常、検知部への虫の侵入の防止を目的に、小さな空気流通孔を多数形成した防虫網が検知部に被せられるが、そのような防虫網に関する従来技術として、次の特許文献１には、防虫剤の塗布可能な通気性のある化学繊維を用いた防虫網が記載されている。
【先行技術文献】
【特許文献】
【０００４】
【特許文献１】特許3672777号公報
【発明の開示】
【発明が解決しようとする課題】
【０００５】
検知部への虫の侵入を効果的に防止するには、まず、防虫網の網目を小さくすることが考えられるが、そのようにすると、空気の流通性も同時に悪くしてしまうという問題がある。また、特許文献１のように、防虫網に防虫剤を塗布する構成では、防虫剤のためにコスト高になる、また防虫剤の効果が装置使用中に切れてしまう等の問題もある。
【０００６】
そこで、本発明は、簡単な構造で虫の侵入を効果的に防止できるようにした防虫網を備えた煙検知器を提供することを目的とする。
【課題を解決するための手段】
【０００７】
本発明による煙検知器は、空気中の煙粒子を検知する検知部と、前記検知部を囲んだ防虫網とを備えた煙検知器であって、前記防虫網は、その一方の表面に縦溝が、他方の表面に横溝が形成され、前記縦溝と前記横溝とを交差させ、かつ前記縦溝の溝底と前記横溝の溝底とを連通させて、空気を流通させる孔部を網目状に形成しており、前記縦溝、前記横溝の少なくとも一方は、溝幅が溝底から開口に向かって拡大した形状にしている。
【０００８】
そして、前記防虫網は、その内表面に前記縦溝が、外表面に前記横溝が形成されていることが望ましい。
【発明の効果】
【０００９】
本発明による煙検知器では、防虫網は、その一方の表面に縦溝が、他方の表面に横溝が形成され、これらの溝の交差位置で、縦溝の溝底と横溝の溝底とを連通させて、空気を流通させる孔部を網目状に形成し、更に、縦溝、横溝の少なくとも一方は、溝幅が溝底から開口に向かって拡大した形状にしている。従って、内表面から外表面まで開口寸法が一様な空気流通孔を形成した従来の防虫網とを比較すると、開口率が同一であっても、同じ開口寸法が外周部の厚み分連続して形成されていないことから、空気の流通性が良好になる。また、溝幅が溝底から開口に向かって拡大した形状を有しているので、溝の中に埃等が溜まりにくいという効果もある。
【００１０】
また、防虫網は、その内表面に縦溝が、外表面に横溝が形成されている構成では、防虫網を金型によって成形する場合、内側の金型を、縦溝に沿って縦方向に抜くことができ、また外側は、横割りの金型にできるので、一体成型が容易になる。
【図面の簡単な説明】
【００１１】
【図１】は、実施例における防虫網の部分断面図である。
【図２】は、実施例における検知部の分解斜視図である。
【図３】は、実施例における防虫網の部分横断面図である。
【図４】は、実施例の全体斜視図である。
【発明を実施するための形態】
【００１２】
以下、本発明を適用した煙検知器の実施例を図に従って説明する。実施例は、住宅用の火災警報器であって、電源電池によって作動し、空気中の煙粒子を検知して火災と判断すると火災警報を音声出力する基本機能を有している。なお、本発明は、火災受信機に接続される煙検知器等にも適用できる。
【００１３】
図１に示した防虫網１０の部分破断図は、図２に記載している防虫網１０の一部分１０ａを切り取って拡大したものである。図１、図２に示しているように、防虫網１０は、合成樹脂等からなる有底または無底円筒形状の部材で、その外周部が網目状になっている。すなわち、その外周部の一方の表面には複数の縦溝１１が、他方の表面には複数の横溝が形成され、各縦溝１１と各横溝１２との交差位置で、縦溝１１の溝底と横溝１２の溝底とを連通させて、空気を流通させる網目状の孔部１３とした基本構造である。この網目状の孔部１３の一つ一つが空気流通孔として、気流と共に煙粒子を通過させる。
【００１４】
縦溝１１、横溝１２は、いずれも溝幅が溝底から開口に向かって拡大した形状を有している。そのため、孔部１３は、縦溝１１の溝底と横溝１２の溝底とを連通させた中間部が最も狭い開口寸法で、そこから、内側、外側のいずれに向かっても、開口寸法は拡大している。
【００１５】
換言すると、防虫網１０は、一方の表面から厚みの半ばまでを縦組子１１ａで形成し、他方の表面から厚みの半ばまでを横組子１２ｂで形成して、これら縦組子１１ａと、横組子１２ａとを、両者の交差位置で結合させた格子構造である。このとき、縦組子１１ａ間の谷間が縦溝１１、横組子１２ａ間の谷間が横溝１２であって、縦組子１１ａ、予組子１２ａは、両者が結合する側を底辺とした三角形もしくは台形の断面形状を有する。
【００１６】
検知部１４は、遮光しつつ空気を流通させるラビリンス壁１４ａの内側に、発光ダイオード等で構成された発光部１４ａと、ホトダイオード等で構成された受光部１４ｃとを適宜配置した基本構造で、発光部１４ａから照射した光が煙粒子によって反射された反射光を、受光部１４ｃで光電転換して検知信号として出力する仕組みである。検知部１４は、上記の防虫網１０によって囲われており、更に保護カバー１９によって衝撃から保護されている。
【００１７】
図３は、防虫網１０の部分的な横断面図で、縦溝１１の断面形状を具体的に示している。図に示しているように、縦溝１１の断面は逆台形であって、溝底の幅Ｗ１、開口の幅Ｗ２には、Ｗ１＜Ｗ２の関係がある。これは、横溝１２においても同様である。なお、縦溝１１、横溝１２の断面形状は特に制限はなく、溝底や側壁が曲面で構成されていてもよい。
【００１８】
なお、この実施例では、縦溝１１、横溝１２のいずれも、溝幅が溝底から開口に向かって広がった断面形状としている。しかしながら、いずれか一方のみを溝幅が溝底から開口に向かって拡大した形状とし、他方は、溝幅が溝底から開口まで一様な断面形状としてもよい。
【００１９】
このような本発明による防虫網１０と、防虫壁の外周部に、内表面から外表面まで開口寸法が一様な空気流通孔を形成した従来の防虫網とを比較すると、開口率が同一であっても、本発明による防虫網１０は、同じ開口寸法が外周部の厚み分連続して形成されていないことから、空気の流通性が良好になる。すなわち、本発明による防虫網１０において、縦溝１１の溝底と横溝１２の溝底とを連通させた中間部で孔部１３の開口寸法を従来のものと同一としておけば、防虫効果は同等となり、空気の流通性ではより優れたものになる。また、縦溝１１、横溝１２は、溝幅が溝底から開口に向かって広がった断面形状を有しているので、溝の中に埃等が溜まりにくいという効果もある。
【００２０】
また、この実施例では、防虫網１０の外周部の内表面に縦溝１１が、外表面に横溝１２を形成しているが、このようにすれば、防虫網１０を金型によって成形する場合、内側の金型を、縦溝１１に沿って縦方向に抜くことができ、また外側は、横割りの金型にできるので、一体成型が容易になる。なお、防虫網１０の製法は、これに限られず、縦溝１１を成型した薄板材と、縦溝１１を成型した薄板材とを貼り合わせてもよく、特に制限はない。
【００２１】
図４は、実施例の全体斜視図である。このように実施例は、回路基板を収容した本体部１５と、空気中の煙粒子を検知する検知部１４と、検知部１４を囲う防虫網１０とを備えている。本体部１５には、ＣＰＵや音声回路等を実装した回路基板、スピーカ、電源電池等が収容されており、本体の表面には、警報停止操作を受け付ける操作ボタン１６、装置の作動状態を示す表示ランプ１７、スピーカに対応した音響孔１８が設けられている。本体部１５の中央部には、検知部１４が突出して配置されており、検知部１４には、上記防虫１０網が被せられ、更に、保護カバー１９がその外側を覆っている。
【００２２】
次いで、実施例の基本動作を簡単に説明する。実施例は、検知部１４の作動を休止させて電力消費を抑制する待機モードと、検知部１４を作動させて火災を監視する監視モードとを所定時間毎に繰り返すようになっている。例えば、待機モードは３０秒、監視モードは１秒としてもよい。監視モードでは、発光部１４ｂを所定回数発光させて煙粒子を検知し、測定した煙粒子の濃度が所定値を超えた回数等に基づいて、火災を判別する。そして、火災発生と判断した場合は、火災警報を出力開始すると共に、表示ランプ１７を点灯状態にする。この火災警報は、操作ボタン１６によって警報停止操作がなされるまで継続する。また、所定時間毎に電源電池の出力電圧を監視して、所定値を下回っていれば、表示ランプ１７を点滅状態にして、電池交換を促す。
【符号の説明】
【００２３】
１０  防虫網
１１  縦溝
１２  横溝
１３  孔部
１４  検知部
【図１】
2011044104.tif 000003
【図２】
2011044104.tif 000004
【図３】
2011044104.tif 000005
【図４】
2011044104.tif 000006